(57)【要約】【課題】マイクを備えた電子機器に於いて、電子機器を薄型化すると共に、良好なマイクの音質、音圧性能の向上を図る。【解決手段】カメラ筐体（１）と、マイク（４０）と、カメラ本体内部に保持された前記マイク（４０）が実装されたフレキシブル基板（２３）と、前記フレキシブル基板（２３）を内側から保持し開口部（２４ｆ）が形成された保持部材（２４）とを備え、前記カメラ筐体（１）の内壁（３０ｃ）と前記フレキシブル基板（２３）との間に配設された第一の弾性部材（３３）と、前記フレキシブル基板（２３）と、前記保持部材（２４）との間に配設された第二の弾性部材（２５）とで構成された電子機器において、前記フレキシブル基板（２３）上に実装される前記マイク（４０）は、前記保持部材（２４）側に実装され、前記保持部材（２４）上に形成される前記開口部（２４ｆ）に収納されていることを特徴とする。【選択図】図６
2016019006.tif 000002
【特許請求の範囲】
【請求項１】
カメラ筐体（１）と、マイク（４０）と、カメラ本体内部に保持された前記マイク（４０）が実装されたフレキシブル基板（２３）と、前記フレキシブル基板（２３）を内側から保持し開口部（２４ｆ）が形成された保持部材（２４）とを備え、前記カメラ筐体（１）の内壁（３０ｃ）と前記フレキシブル基板（２３）との間に配設された第一の弾性部材（３３）と、前記フレキシブル基板（２３）と、前記保持部材（２４）との間に配設された第二の弾性部材（２５）とで構成された電子機器において、前記フレキシブル基板（２３）上に実装される前記マイク（４０）は、前記保持部材（２４）側に実装され、前記保持部材（２４）上に形成される前記開口部（２４ｆ）に収納されていることを特徴とする電子機器。
【請求項２】
前記第一の弾性部材（３３）に形成された開口部（３３ｃ）の表裏に円周状の凸部（３３ｄ、３３ｅ）が配設されたことを特徴とする請求項１に記載の電子機器。
【請求項３】
前記凸部（３３ｄ、３３ｅ）は、表裏で高さが異なっていることを特徴とする請求項２に記載の電子機器。
【発明の詳細な説明】
【技術分野】
【０００１】
本発明は、電子機器に関し、特にマイクを備えた電子機器に関するものである。
【背景技術】
【０００２】
デジタルカメラや携帯電話機器等の小型電子機器では、マイクなどの音響部品は、音響部品を保持する弾性部材からなるホルダ部材を外装部材に当接させている。そして、ホルダ部材の開口部側を外装部材に押しつけて取り付けることにより、音響部材の音孔が密閉された状態で外装部材に設けられた穴より音の入力や出力をする。上記構成にすることで、外装部材の外装表面に近い位置に音響部品を配置することが可能となり、音の入出力の効率を向上させることができる。また、音響部品がマイクである場合、外装部材の開口部で発生する風切り音の発生を防ぎ、電子機器内部の駆動音を遮断することができるため、録音時に不要な雑音を記録したりすることを防いでいる。
【０００３】
従来のこの種の電子機器においては、機器の小型化及び電子回路基板の実装効率の向上を図るために、マイクを保持する弾性部材からなるマイクホルダが電子回路基板と外装カバーとの間に圧縮された状態で保持されたものがある（特許文献１参照）。
【先行技術文献】
【特許文献】
【０００４】
【特許文献１】特開２０１１−１４６９００号公報
【発明の概要】
【発明が解決しようとする課題】
【０００５】
しかしながら、上記特許文献１では、マイクを保持するマイクホルダが有底筒状であり、外観カバー内壁と回路基板との間に保持されているため、厚み方向のスペースが大きくなり、カメラを薄型化できない。また、マイクホルダの周方向の一側から外側に延びるフランジを形成して、カメラ内部本体と位置決めする構成であるため、マイクホルダを構成する投影面積が大きく、カメラ内部本体の配置に自由度が少ない。さらに、マイクホルダ底面部を、回路基板上に配設される実装部品、配線パターン等以外の領域（回路基板端近傍）に配置する必要があるため、マイク配置の自由度も少ないという問題がある。と同時に、回路基板上の実装部品、配線パターン等の制約が発生するため、回路基板上の実装効率が低下する問題もある。
【０００６】
そこで、本発明は、電子機器を薄型化すると共に、良好なマイクの音質、音圧性能の向上を図ることを目的とする。
【課題を解決するための手段】
【０００７】
上記目的を達成するために、本発明の構成は、カメラ筐体（１）と、マイク（４０）と、カメラ本体内部に保持された前記マイク（４０）が実装されたフレキシブル基板（２３）と、前記フレキシブル基板（２３）を内側から保持し開口部（２４ｆ）が形成された保持部材（２４）とを備え、前記カメラ筐体（１）の内壁（３０ｃ）と前記フレキシブル基板（２３）との間に配設された第一の弾性部材（３３）と、前記フレキシブル基板（２３）と、前記保持部材（２４）との間に配設された第二の弾性部材（２５）とで構成された電子機器において、前記フレキシブル基板（２３）上に実装される前記マイク（４０）は、前記保持部材（２４）側に実装され、前記保持部材（２４）上に形成される前記開口部（２４ｆ）に収納されていることを特徴とする。
【発明の効果】
【０００８】
本発明によれば、電子機器を薄型化すると共に、良好なマイクの音質、音圧性能の向上を図ることができる。
【図面の簡単な説明】
【０００９】
【図１】本発明の実施形態に係る撮像装置であるデジタルカメラの外観斜視図である。
【図２（ａ）】本発明の実施形態に係るマイクユニット構成を示す分解斜視図である。
【図２（ｂ）】本発明の実施形態に係るマイクユニット構成を示す分解斜視図である。
【図２（ｃ）】本発明の実施形態に係るマイクユニット構成を示す分解斜視図である。
【図３】本発明の実施形態に係るマイクユニットが組込まれた状態を示す斜視図である。
【図４】本発明の実施形態に係る上面カバーユニット構成を示す分解斜視図である。
【図５】本発明の実施形態に係る上面カバーユニットとマイクユニットが組込まれた状態を示す正面斜視図である。
【図６】本発明の実施形態に係るマイクユニットの構造を示す図である。
【発明を実施するための形態】
【００１０】
以下に、本発明の好ましい実施の形態を、添付の図面に基づいて詳細に説明する。
【実施例】
【００１１】
図１は、本発明の実施形態に係る撮像装置であるデジタルカメラ（以降カメラと略す）の外観斜視図である。図１（ａ）はカメラの正面側（被写体側）、図１（ｂ）は背面側（撮影者側）の外観斜視図である。図１（ａ）−（ｂ）は、電源オン状態でレンズユニット３が繰り出された状態であり、電源をオフにするとレンズユニット３はカメラ本体１（カメラ筐体）から突出しない位置まで沈胴収納される。
【００１２】
表示ユニット（可動部）２は、ヒンジ機構によりカメラ本体１に対して所定角度範囲で回動可能に支持されており、不図示のフレキシブル配線基板によりカメラ本体１に電気的に接続されている。図１（ａ）−（ｂ）は、カメラ本体１に対し、表示ユニット２が閉じられた状態を示している。
【００１３】
表示部２ａは、例えば液晶パネルユニットなどが用いられており、撮影時の構図を確認するための画像及び再生画像を表示する。表示部２ａには、静電容量式タッチパネルが組み込まれており、画面を指で触れることで、撮影時の設定や記録した画像の再生、画像の拡大・縮小・画像送り・編集、通信設定等様々な操作が可能となっている。なお、表示部２ａには、シャッター速度や絞り値といった撮影条件・撮影枚数及びメニュー等も表示可能である。
【００１４】
レンズユニット３は、撮像光学系、レンズバリア、光電変換素子、レンズ駆動機構、絞り、シャッターなどを具備している。レンズユニット３は、撮影光学系により撮像素子に被写体像を結像されるよう構成されている。電源ボタン４は、カメラの電源をオンまたはオフする操作部材である。
【００１５】
モード切り換えレバー５は、撮影時の撮影モード（例えば、静止画モード、動画モード、連写単写モード切り換え、シーンモード切り換え）を切り換える操作部材である。通信ボタン６は、Ｗｉ−Ｆｉなどの無線通信を開始する操作部材である。再生ボタン７は、押下されると撮影モードから再生モードに遷移し、表示部２ａに記録した静止画や動画を表示させる操作部材である。また、電源オフ状態から再生ボタン７を押下すれば、再生モードでカメラを起動することができる。端子カバー８は、カメラ本体１に対しスライドおよび回動可能に支持されている。端子カバー８を開けると、ＵＳＢ端子やＨＤＭＩ（登録商標）端子などの外部接続端子が露出する状態となる。
【００１６】
ストラップベース９は、不図示のストラップ紐を通すためのストラップベースであり、カメラの左側面、右側面に１つずつ、計２つ形成されている。電池蓋１０は、カメラ本体１に対し、スライド及び回動可能に保持されている。電池蓋１０を開けると、電池を挿抜することができる。カード蓋１１は、カメラ本体１に対しスライドおよび回動可能に支持されている。カード蓋１１を開けると、記録媒体を挿抜することができる。
【００１７】
照明窓１２は、透明部材からなり、カメラ内部に配置された発光素子の光を導光および拡散させる。この照明は、低照度撮影時（静止画撮影時や動画撮影時）や低照度時のＡＦ（オートフォーカス）動作時に発光するよう構成されている。
【００１８】
マイク穴１５（３０ａ：図４で後述する）は、動画撮影時に周りの音声を記録するためマイク等の音響素子が配設され設けられている。
【００１９】
ズームリング１３は、リング形状をしており、レンズユニット３の周囲に配置される。ズームリング１３は、カメラ本体１に対し、レンズユニット３の光軸中心にＰ方向及びＱ方向（図１（ａ）に図示）に所定角度範囲で回動するように構成されている。
【００２０】
ズームリング１３をＰ方向に回動させると、レンズユニット３はＴＥＬＥ側へ、Ｑ方向へ回転させると、ＷＩＤＥ側へズームするよう構成されている。撮影者がズームリング１３を回動操作し、その後、撮影者がズームリング１３から指を離すと不図示のバネにより、ズームリング１３は中立位置に復帰するように構成されている。
【００２１】
ズームリング１３の外径全周部には、指掛かりが良くなるように凹凸形状部がそれぞれ形成されている。
【００２２】
レリーズリング１４は、リング形状をしており、レンズユニット３の周囲に配置される。レリーズリング１４の外径は、ズームリング１３の外径よりも小さく形成され、レリーズリング１４は、ズームリング１３よりもカメラ前方に突出して配置されている。レリーズリング１４は、カメラ本体１に対し、レンズユニット３の光軸と直交するＵ方向及びＬ方向、Ｒ方向及びＳ方向（図１（ａ）に図示）に、所定範囲でスライドするように構成されている。
【００２３】
レリーズリング１４を上下方向の押し操作、すなわちＬ方向（図１（ａ）に図示）及びＵ方向（図１（ａ）に図示）に操作することで、カメラのレリーズ動作をさせ、静止画撮影をすることができる。同様に、レリーズリング１４を左右押し方向の押し操作、すなわちＵ方向（図１（ａ）に図示）及びＲ方向（図１（ａ）に図示）に操作することでも、カメラのレリーズ動作をさせ、静止画撮影をすることができる。
【００２４】
通常、カメラのレリーズボタンは、２段スイッチで構成されている。レリーズボタンの半押しで１段目のスイッチ（ＳＷ１）がオンするとＡＦおよびＡＥを行い、レリーズボタンの全押しで２段目のスイッチ（ＳＷ２）がオンすると静止画撮影を行うよう構成されている。レリーズリング１４も同様に２段スイッチで構成されている。レリーズリング１４は、移動規制が施されており、所定範囲内でのみ移動するように構成されている。
【００２５】
また、レリーズリング１４は、上下方向の押し操作または左右方向の押し操作を終了し指を離すと不図示のバネにより、中立位置に復帰するように構成されている。
【００２６】
なお、図１では、ズームリング１３とレリーズリング１４が中立位置に位置している状態を示している。
【００２７】
マイクユニットの構成を図２〜図３で詳細に説明していく。図２は、本発明の実施形態に係るマイクユニット構成を示す分解斜視図である。図２（ａ）は、マイクユニットを背面上側から見た斜視図であり、図２（ｂ）はマイクユニットを背面下側から見た斜視図であり、図２（ｃ）はマイク素子が実装されているフレキシブル基板の一部を背面下側から見た斜視図である。図３は、本発明の実施形態に係るマイクユニットが組込まれた状態を示す分解斜視図である。図３（ａ）は、マイクユニットが組込まれた状態を正面側から見た斜視図であり、図３（ｂ）はマイクユニットが組込まれた状態を背面側から見た斜視図である。
【００２８】
２２は、デジタルカメラを駆動するための電源部を収納する電池収納部である。２３は、フレキシブル基板であり、マイク素子４０、不図示の電池接片コネクタ、ストロボ回路、操作ボタン（図１に示す電源ボタン４、再生ボタン７）を動作させるＳＷなどが実装されている。図中のフレキシブル基板２３は、電池収納部２２に組込まれた状態となっている。
【００２９】
またフレキシブル基板２３上のコネクタ２３ｅは、不図示のメイン回路基板に電気的接続されている。マイク素子４０は、略長方形形状のマイクロフォンであり、フレキシブル基板２３のパターン配線面２３ｈに実装されている。このマイク素子４０の集音するための音孔４０ａ（図６（ｂ）に示す）は、フレキシブル基板２３上のパターン配線面２３ｈ側に開口しており、フレキシブル基板２３上の補強板面２３ｇに形成されている孔部２３ｄと同軸上に配置されている。
【００３０】
電池収納部２２上に形成されている軸２２ａとフレキシブル基板２３上に形成されている貫通穴２３ａが嵌合し固定される。２４は、電池収納部２２にフレキシブル基板２３を固定するための保持部材である。次に電池収納部２２上に形成されている軸２２ｂと保持部材２４上に形成される貫通穴２４ａが嵌合する。それと同時に電池収納部２２上に形成されている爪部２２ｅと保持部材２４上に形成される貫通角穴２４ｂがスナップフィット手段で保持される。
【００３１】
保持部材２４上に形成されている軸２４ｃに弾性部材２５（第二の弾性部材）上に形成されている貫通穴２５ａを挿入する。その上からフレキシブル基板２３上に形成されている貫通穴２３ｂと保持部材２４上に形成されている軸２４ｃが嵌合し結合される。この時、フレキシブル基板２３上に形成されている貫通穴２３ｃと保持部材２４上に形成されている軸２４ｃは、適度なクリアランスを持たせている。また、フレキシブル基板２３上のパターン配線面２３ｈと弾性部材２５（第二の弾性部材）上に形成されている平面２５ｂは当接されている。
【００３２】
２０は、本体内に配設された複数の内部構造部材を保持するためのメインフレーム、２１は、不図示のメイン回路基板、スピーカーユニットを保持するためのホルダーである。
【００３３】
メインフレーム２０上に形成されている貫通穴２０ａとホルダー２１上に形成されている軸２１ａが嵌合し、不図示のビス止め等の手段で固定される。次にメインフレーム２０上に形成されている貫通穴２０ｂと電池収納部２２上に形成されている軸２２ｃが嵌合し、不図示のビス止め等の手段で固定される。また、電池収納部２２の先端部を振れ止めするために、メインフレーム２０上に形成されている長穴２０ｃと電池収納部２２上に形成されている軸２２ｄが嵌合する。次に、保持部材２４上に形成されている貫通穴２４ｄとホルダー２１上に形成されている下穴２１ｂが嵌合し、不図示のビス止め等の手段で固定される。
【００３４】
上面カバーの構成を図４〜図５と、図３を併用して詳細に説明していく。図４は、本発明の実施形態に係る上面カバーユニット構成を示す分解斜視図である。図４（ａ）は、上面カバーユニットを正面下側から見た斜視図であり、図４（ｂ）はマイクゴム（弾性部材３３）を正面上側から見た斜視図である。図５は、本発明の実施形態に係る上面カバーユニットとマイクユニットが組込まれた状態を示す正面斜視図である。
【００３５】
３０は、カメラ本体１（カメラ筐体）に含まれる外装部材である上面カバーである。上面カバー３０上に形成されている平面部３０ｃに撥水シート３１が不図示の両面テープ等で固定される。撥水シート３１は、空気が通過可能で、水が通過不能な不織布状のシートである。この撥水シート３１は、上面カバー３０上に形成されている孔部３０ａから、水滴等がカメラ本体内部に入り込まないようにするためと、カメラ本体内部のフレキシブル基板２３がカメラ外観から見えないようにするための目隠しも兼ねている。次に上面カバー３０上に形成されている軸３０ｂと弾性部材３３（第一の弾性部材）上に形成されている貫通穴３３ａが嵌合する。
【００３６】
上面カバー３０上に形成されている平面部３０ｄと弾性部材３３上に形成されている平面部３３ｈが両面テープ３２で固定され、弾性部材３３上に形成されている平面部３３ｆは、撥水シート３１に当接される。
【００３７】
次に、上面カバーユニットを、マイクユニットが組込まれた状態（図３に示す）に、まっすぐ組込んでいくと、ホルダー２１上に形成されている軸２１ｃ（図３に示す）と上面カバー３０上に形成されている穴部３０ｅが嵌合する。この時、保持部材２４上に形成されている爪部２４ｅと上面カバー３０上に形成されている穴部３０ｆがスナップフィット手段で保持される。
【００３８】
次に、上面カバーユニットとマイクユニットの配置関係を詳細に説明していく。図６は、本発明の実施形態に係るマイクユニットの構造を示す図である。図６（ａ）は、上面カバーの断面指示図である。図６（ｂ）は、保持部材２４とマイク素子４０の配置関係を示す正面斜視図、図６（ｃ）は、上面カバーユニットとマイクユニットの配置を示すＡ−Ａ断面図、図６（ｄ）は、上面カバーユニットとマイクユニットの配置を示すＢ−Ｂ断面図である。
【００３９】
マイク素子４０が実装されているフレキシブル基板２３上に形成されている平面部２３ｇと弾性部材３３上に形成されている３３ｇが当接されている。一方、パターン配線面２３ｈと弾性部材２５も当接されているので、フレキシブル基板２３は、保持部材２４上に組込まれた弾性部材２５と上面カバー３０上に組込まれた弾性部材３３に挟まれている構成である。また、弾性部材３３上に形成されている孔部３３ｃの表裏の周囲には、円周状の凸部３３ｄ（Ｘ）と凸部３３ｅ（Ｙ）が設けられている。上面カバー３０上の平面部３０ｃ（撥水シート３１）が、弾性部材３３上の凸部３３ｄに押し付けられた状態で取り付けられるので、凸部３３ｄは変形し、全周で上面カバー３０上の孔３０ａを密閉する。また、フレキシブル基板２３上の平面部２３ｇと、弾性部材３３上の凸部３３ｅを押し付けた状態で取り付けられるので、凸部３３ｅは変形し、全周でフレキシブル基板２３上の孔部２３ｄを密閉する。
【００４０】
この構成で、フレキシブル基板２３上の孔部２３ｄと上面カバー３０上の孔部３０ａの間を凸部３３ｄと凸部３３ｅで密閉することができる。これにより、カメラ本体１内部の駆動音等を遮蔽すると共にカメラ本体１の外部からの音を効率良く集音することが可能になり、良好な音質、音圧で記録することが可能になる。
【００４１】
本実施形態では、弾性部材３３上に形成されている凸部３３ｄ（Ｘ）と凸部３３ｅ（Ｙ）は異なる高さで設定している。これは、フレキシブル基板２３が、カメラ本体１内部に保持されているため、内部部品の組込みバラつき等で、フレキシブル基板２３上の平面部２３ｇが撓んだり、傾いたりした場合、弾性部材３３上の左右にある凸部３３ｅの密閉が不均一となるのを防止するためである。
【００４２】
弾性部材３３上の凸部３３ｅ（Ｙ）の凸量を凸部３３ｄ（Ｘ）の凸量よりも大きくすることで、フレキシブル基板２３の平面部２３ｇが撓んだり、傾いたりしても、密閉性を確保することができる。
【００４３】
本実施形態では、フレキシブル基板２３上のマイク素子４０の実装されるパターン配線面２３ｈ側の表側を、適度な厚みのガラスエポキシ基材の補強板（補強板面２３ｇ）で補強している。もし、補強板（補強板面２３ｇ）の厚みを持たせてやることができる場合、フレキシブル基板２３上の平面部２３ｇ自体の強度が上がるため、内部部品の組込みバラつき等で発生する平面部２３ｇの撓みや、傾きを抑えることができる。フレキシブル基板２３の剛性が十分に高い場合には、弾性部材３３上の凸部３３ｄ（Ｘ）の凸量と、凸部３３ｅ（Ｙ）の凸量を同じ設定にすることも可能である。
【００４４】
フレキシブル基板２３上のパターン配線面２３ｈ（マイク素子４０実装面）は、保持部材２４に対して弾性部材２５を介して保持されている。
【００４５】
この構成により、保持部材２４側から伝わる振動ノイズ等を弾性体である弾性部材２５が吸収し、直接フレキシブル基板２３側のマイク素子４０に伝わるのを防止するので、良好な音質、音圧で記録することが可能になる。
【００４６】
本実施形態では、フレキシブル基板２３のパターン配線面２３ｈに実装されているマイク素子４０の部品面を、保持部材２４側に配設し、保持部材２４上に形成されている開口２４ｆに、マイク素子４０が投影上厚み方向に入り込む設定となっている。これは、フレキシブル基板２３のパターン配線面２３ｈに実装されるマイク素子４０の部品高さが、同じパターン配線面２３ｈに実装されている不図示の実装部品（チップ抵抗、コンデンサー）よりも、部品高さが高いためである。例えば、フレキシブル基板２３に実装されるマイク素子４０の部品面を上面カバー３０側に配設した場合、フレキシブル基板３０と上面カバー３０の間は、マイク素子４０の高さよりも近づけることができない。これは、本実施形態の構成のようにマイク素子４０が、保持部材２４側の開口２４ｆに、投影上厚み方向に入り込んでいないので、フレキシブル基板３０と上面カバー３０の間は、マイク素子４０よりも近づけられないため、カメラの高さ方向が薄型化できない。
【００４７】
本実施形態の構成にすることで、マイク素子４０を保持部材２４側の開口２４ｆに入り込ませることで、マイク素子４０の高さよりもフレキシブル基板２３と保持部材２４の間を近づけることができる。これにより、マイク素子４０の高さ方向のスペースを有効に利用することが可能となり、カメラの高さ方向を薄型化できる。
【００４８】
本実施形態では、弾性部材２５（第二の弾性部材）を直円錐形状で、保持部材２４上に形成されている軸２４ｃに、それぞれ３箇所に配設させているが、弾性部材２５を１つの部品として一体に形成しても、本発明と同様の効果が得られる。
【００４９】
以上、本発明の好ましい実施形態について説明したが、本発明はこれらの実施形態に限定されず、その要旨の範囲内で種々の変形及び変更が可能である。
【符号の説明】
【００５０】
１  カメラ筐体、２３  フレキシブル基板、２３ｈ  パターン配線面、２４  保持部材、
２５  第二の弾性部材、３０ｃ  内壁（トップカバー３０）、３３  第一の弾性部材、
４０  マイク素子
【図１】
2016019006.tif 000003
【図２（ａ）】
2016019006.tif 000004
【図２（ｂ）】
2016019006.tif 000005
【図２（ｃ）】
2016019006.tif 000006
【図３】
2016019006.tif 000007
【図４】
2016019006.tif 000008
【図５】
2016019006.tif 000009
【図６】
2016019006.tif 000010